(57)【要約】【課題】プリント基板により任意のエレメント構成による自由度の高い立体形アンテナを実現可能にしたアンテナ構造を提供する。【解決手段】給電パターンＰ１を有するベース基板１１と、このベース基板１１に積み重ねられて、該基板の板面に固定された積み重ねブロック１２と、この積み重ねブロック１２に設けられ、一端が上記給電パターンＰ１に導電接続され、他端が積み重ねブロック１２の積み重ね方向に延長するエレメントパターンＰ２とを具備して構成される。【選択図】      図１
2009135773.tif 000002
【特許請求の範囲】
【請求項１】
給電パターンを有するベース基板と、
前記ベース基板に積み重ねられて該ベース基板の板面に固定された積み重ねブロックと、
前記積み重ねブロックに設けられ、一端が前記給電パターンに接続され、他端が前記積み重ねブロックの積み重ね方向に延長するエレメントパターンと、
を具備したことを特徴とするアンテナ構造。
【請求項２】
前記積み重ねブロックは、複数段の積み重ねが可能な六面体のプリント基板により構成され、前記エレメントパターンは導電箔により形成されていることを特徴とする請求項１に記載のアンテナ構造。
【請求項３】
前記エレメントパターンは、少なくとも一部が稜に沿って形成されていることを特徴とする請求項２に記載のアンテナ構造。
【請求項４】
前記エレメントパターンは、少なくとも一部が互いに直交する複数の稜に沿って形成されていることを特徴とする請求項２に記載のアンテナ構造。
【請求項５】
前記エレメントパターンは、少なくとも一部が面上の対角線方向に形成されていることを特徴とする請求項２に記載のアンテナ構造。
【請求項６】
前記エレメントパターンは、少なくとも一部がスルーホールにより形成されていることを特徴とする請求項２に記載のアンテナ構造。
【請求項７】
前記積み重ねブロックは、円周面を有し、該円周面に沿って前記エレメントパターンが設けられていることを特徴とする請求項１に記載のアンテナ構造。
【請求項８】
前記積み重ねブロックは、前記給電パターンから分岐する複数のエレメントパターンを有していることを特徴とする請求項１に記載のアンテナ構造。
【請求項９】
複数の給電パターンを有するベース基板と、
前記ベース基板に積み重ねられて該ベース基板の板面に固定された積み重ねブロックと、
前記積み重ねブロックに設けられ、一端が前記複数の給電パターンに個別に接続され、他端が前記積み重ねブロックの積み重ね方向に延長する複数のエレメントパターンと、
を具備したことを特徴とするアンテナ構造。
【請求項１０】
無線モジュールと、
前記無線モジュールに接続されたアンテナモジュールとを具備し、
前記アンテナモジュールは、
給電パターンを有するベース基板と、
前記ベース基板に積み重ねられて該ベース基板の板面に固定された積み重ねブロックと、
前記積み重ねブロックの外側部に設けられ、一端が前記給電パターンに接続され、他端が前記積み重ねブロックの積み重ね方向に延長するエレメントパターンと、
を具備したことを特徴とする電子機器。
【発明の詳細な説明】
【技術分野】
【０００１】
本発明は、無線機器を搭載した可搬型の小型電子機器に適用して好適なアンテナ構造に関する。
【背景技術】
【０００２】
無線機器を搭載した可搬型の小型電子機器においては、プリント基板を用いた内蔵アンテナが多用される。このプリント基板を用いた内蔵アンテナは、プリント配線板構造によるプリント基板に、アンテナラジエータとして作用するエレメントパターンを形成して構成される。このエレメントパターンは、プリント配線板における回路配線パターンと同様の導電箔により形成される。この種のプリント基板を用いたアンテナ構造として、従来では単板上にエレメントパターンを形成したアンテナ構造や多層基板にエレメントパターンを形成したアンテナ構造が存在した。
【特許文献１】特開２００２−１００９１５号公報
【特許文献２】特開２００５−５９８７号公報
【特許文献３】特開２００４−１８６７３０号公報
【発明の開示】
【発明が解決しようとする課題】
【０００３】
上記した従来のプリント基板を用いた従来のアンテナ構造は、基板の板面に形成したエレメントパターンにより、アンテナのエレメント構成が特定されることから、機器毎に、機器構成に固有のアンテナ基板を設計しなければならないという構造上の問題があった。また、基板の板面（平面上）にエレメントパターンを形成するエレメント構造であることから、面方向に拡がる実装スペースが必要となり、実装上の自由度に問題があった。
【０００４】
本発明は、上記問題点を解消して、プリント基板により任意のエレメント構成による自由度の高い立体形アンテナを実現可能にしたアンテナ構造を提供することを目的とする。
【課題を解決するための手段】
【０００５】
本発明は、給電パターンを有するベース基板と、前記ベース基板に積み重ねられて該ベース基板の板面に固定された積み重ねブロックと、前記積み重ねブロックに設けられ、一端が前記給電パターンに接続され、他端が前記積み重ねブロックの積み重ね方向に延長するエレメントパターンと、を具備したアンテナ構造を特徴とする。
【発明の効果】
【０００６】
本発明によれば、プリント基板により任意のエレメント構成による自由度の高い立体形アンテナを容易に実現できる。
【発明を実施するための最良の形態】
【０００７】
以下図面を参照して本発明の実施形態を説明する。  
本発明の第１実施形態に係るアンテナ構造を図１に示す。図１には第１実施形態に係るアンテナ構造を、構成要素となる部品単体と併せて示している。
【０００８】
この第１実施形態に係るアンテナ構造は、図１に示すように、給電パターンＰ１を有するベース基板１１と、このベース基板１１に積み重ねられて、該基板の板面に固定された積み重ねブロック１２と、この積み重ねブロック１２に設けられ、一端が上記給電パターンＰ１に導電接続され、他端が積み重ねブロック１２の積み重ね方向に延長するエレメントパターンＰ２とを具備して構成される。
【０００９】
ベース基板１１と、積み重ねブロック１２は、それぞれプリント基板により構成され、給電パターンＰ１とエレメントパターンＰ２はそれぞれ導電箔により形成されている。
【００１０】
ベース基板１１および積み重ねブロック１２を構成する各プリント基板は、基材として、例えば、厚さ１．６ｍｍ〜３．２ｍｍ程度のプリント配線板が使用可能である。
【００１１】
ベース基板１１は、給電パターンＰ１を一方面に有し、この給電パターンＰ１とインピーダンスの整合をとるためのグランドパターンＧＰを他方面に有して構成される。給電パターンＰ１は、図示しない無線機器のアンテナ接続部に回路接続されるアンテナリード部Ｐ１ａとエレメント接続端Ｐ１ｂとを有して構成される。
【００１２】
積み重ねブロック１２は、複数段の積み重ねが可能な六面体のプリント基板により構成され、ベース基板１１に例えば接着剤により固定される。エレメントパターンＰ２は、ベース基板１１の板面に対して直交する方向に起立して、積み重ねブロック１２の一側面に稜に沿い設けられたエレメントの一部パターンＰｖと、このパターンＰｖから延長して積み重ねブロック１２の上面に設けられたエレメントの一部パターンＰｈとを有して構成される。上記したエレメントの一部パターンＰｖ，Ｐｈのうち、パターンＰｖを側面パターンと称し、パターンＰｈを平面パターンと称す。図１に示す実施形態では、側面パターンＰｖと平面パターンＰｈが互いに直交する複数の稜に沿って形成されている。側面パターンＰｖの下端はベース基板１１に設けられた給電パターンＰ１のエレメント接続端Ｐ１ｂに導電接続されている。この導電接続は、例えば、はんだ接合による導電接続手段、若しくは導電接着剤による導電接続手段、若しくは圧接による導電接続手段等のいずれの導電接続手段によるものであってもよい。
【００１３】
このように、積み重ねブロック１２をベース基板１１に積み重ねたアンテナ構造により、給電パターンＰ１のエレメント接続端Ｐ１ｂから、エレメントパターンＰ２の側面パターンＰｖにより積み重ねブロック１２の積み重ね方向に起立し、平面パターンＰｈにより積み重ねブロック１２の上面で面方向に拡がる立体形アンテナ１０が構成される。なお、ベース基板１１に積まれる積み重ねブロック１２は、図示したエレメントパターン構成のものに限らず、アンテナ実装スペースや要求される指向特性等を考慮して、後述する各種エレメント構成の積み重ねブロックを適宜適用可能である。
【００１４】
上記した実施形態に係るプリント基板の積み重ねによるアンテナ構造は、アンテナエレメントがベース基板１１の板面方向でなく、積み重ねブロック１２を挟んで積み重ねブロック１２の積み重ね方向に延長されるエレメント構成であることから、プリント基板で構成されるアンテナモジュールを小型化できるとともに、所望する任意のエレメント構成によるアンテナモジュールを容易に実現できる。
【００１５】
本発明の第２実施形態に係るアンテナ構造を図２に示す。図２には第２実施形態に係るアンテナ構造を、構成要素となる部品単体と併せて示している。この第２実施形態に係るアンテナ構造は、上記した第１実施形態に係るベース基板１１を共通基板として適用している。従ってベース基板１１の構成については説明を割愛する。
【００１６】
この第２実施形態に係るアンテナ構造は、図２に示すように、給電パターンＰ１を有するベース基板１１と、このベース基板１１に積み重ねられて、該基板の板面に固定された積み重ねブロック１３と、この積み重ねブロック１３に設けられ、一端が上記給電パターンＰ１に導電接続され、他端が積み重ねブロック１３の積み重ね方向に延長するエレメントパターンＰ３と、上記積み重ねブロック１３に積み重ねられて該ブロックに固定された積み重ねブロック１４と、上記積み重ねブロック１４に設けられ、一端が上記積み重ねブロック１３に設けられたエレメントパターンＰ３の延長端に導電接続され、他端が積み重ねブロック１３の積み重ね方向に延長されたエレメントパターンＰ４とを具備して構成される。
【００１７】
積み重ねブロック１３，１４は、上記した第１実施形態に示す積み重ねブロック１２と同様に、それぞれ複数段の積み重ねが可能な六面体のプリント基板により構成されている。積み重ねブロック１３に設けられたエレメントパターンＰ３、および積み重ねブロック１４に設けられたエレメントパターンＰ４は、それぞれ、上記した第１実施形態に示す積み重ねブロック１２と同様に、側面パターンＰｖと平面パターンＰｈとを有して構成されている。積み重ねブロック１３，１４に設けられたエレメントパターンＰ３，Ｐ４は、それぞれ側面パターンＰｖと平面パターンＰｈが互いに直交する複数の稜に沿って形成されている。
【００１８】
この第２実施形態に係る複数の積み重ねブロックを積み重ねたアンテナの組立手順は、複数の積み重ねブロックを予め積み重ね、エレメント相互を導電接続した状態で、ベース基板１１に接着固定する組立手順、若しくはベース基板１１に、積み重ねブロックを一つずつ積み重ねてゆく組立手順のいずれであってもよい。
【００１９】
積み重ねブロック１３に設けられた側面パターンＰｖの下端をベース基板１１に設けられた給電パターンＰ１のエレメント接続端Ｐ１ｂに導電接続し、積み重ねブロック１４に設けられた側面パターンＰｖの下端を、積み重ねブロック１３に設けられた側面パターンＰｖから延長する平面パターンＰｈの終端部（延長端）に導電接続することにより、ベース基板１１の板面と直交する方向に拡がりをもつ２段エレメント構成の立体形アンテナ２０が構成される。
【００２０】
このように、２つの積み重ねブロック１３，１４を組み合わせてベース基板１１に積み重ねたことにより、ベース基板１１に設けられた給電パターンＰ１のエレメント接続端Ｐ１ｂから、積み重ねブロック１３に設けられたエレメントパターンＰ３の側面パターンＰｖにより積み重ねブロック１３の積み重ね方向に起立し、積み重ねブロック１３の上面で平面パターンＰｈにより稜に沿って延長し、積み重ねブロック１４に設けられたエレメントパターンＰ４の側面パターンＰｖにより積み重ねブロック１４の積み重ね方向に起立し、積み重ねブロック１４の上面で平面パターンＰｈにより面方向に拡がるエレメント構造の立体形アンテナ２０が構成される。
【００２１】
また、図示しないが、上記第１実施形態に用いた積み重ねブロック１２を第２実施形態と共通の積み重ねブロックとして用い、この積み重ねブロック１２を、上記積み重ねブロック１４に積み重ねることで、さらにベース基板１１の板面と直交する方向に拡がりをもつ立体形アンテナが構成される。このアンテナ構成は、積み重ねブロック１２に設けられた側面パターンＰｖの下端を、積み重ねブロック１４に設けられた側面パターンＰｖから延長する平面パターンＰｈの終端部に導電接続することにより、ベース基板１１の板面と直交する方向にさらに拡がりをもたせた多段エレメント構成の立体形アンテナが実現可能である。
【００２２】
上記した第２実施形態に係るアンテナ構造は、アンテナエレメントがベース基板１１の板面方向でなく、複数の積み重ねブロックがそれぞれ積み重ね方向にエレメントを延長してゆくエレメント構成であることから、プリント基板で構成されるアンテナモジュールを小型化できるとともに、所望する任意のエレメント構成によるアンテナモジュールを容易に実現できる。
【００２３】
本発明の第３実施形態に係るアンテナ構造を図３に示す。図３には第３実施形態に係るアンテナ構造を、構成要素となる部品単体と併せて示している。
【００２４】
この第３実施形態に係るアンテナ構造は、図３に示すように、給電パターンＰ２１およびこの給電パターンＰ２１のアンテナリード部２１ａから分岐する複数（この実施形態では３点）のエレメント接続端Ｐ２１ｂ，Ｐ２１ｂ，Ｐ２１ｂを有するベース基板２１と、このベース基板２１に積み重ねられて、該基板の板面に固定された積み重ねブロック２２と、上記複数のエレメント接続端Ｐ２１ｂに対応して上記積み重ねブロック２２に設けられ、一端が上記給電パターンＰ２１の対応するエレメント接続端Ｐ２１ｂに個別に導電接続され、他端が積み重ねブロック２２の積み重ね方向に延長する複数のエレメントパターンＰ５，Ｐ６，Ｐ７と、上記積み重ねブロック２２にさらに積み重ねて設けられた積み重ねブロック２３と、この積み重ねブロック２３に設けられ、一端が上記積み重ねブロック２２に設けられたエレメントパターンＰ６のエレメント延長端Ｐ２２ｂに導電接続され、他端が積み重ねブロック２３の積み重ね方向に延長するエレメントパターンＰ８とを具備して構成される。
【００２５】
上記積み重ねブロック２２，２３に設けられた各エレメントパターンＰ５，Ｐ６，Ｐ７，Ｐ８は、それぞれ、側面パターンＰｖと平面パターンＰｈとを有して構成される。この実施形態では、積み重ねブロック２２に設けられたエレメントパターンＰ５，Ｐ６，Ｐ７のうち、エレメントパターンＰ６のエレメント長を、積み重ねブロック２３により、さらに延長するもので、エレメントパターンＰ６のエレメント終端部（側面パターンＰｖから延長する平面パターンＰｈの終端部）をエレメント延長端Ｐ２２ｂとしている。
【００２６】
積み重ねブロック２２に設けられた側面パターンＰｖ，Ｐｖ，Ｐｖの下端をそれぞれ、ベース基板２１に設けられた給電パターンＰ２１のエレメント接続端Ｐ２１ｂ，Ｐ２１ｂ，Ｐ２１ｂに個別に導電接続し、積み重ねブロック２３に設けられた側面パターンＰｖの下端を、積み重ねブロック２２に設けられた側面パターンＰｖから延長する平面パターンＰｈの終端部をエレメント延長端Ｐ２２ｂとして、該エレメント延長端Ｐ２２ｂに導電接続することにより、ベース基板２１の板面と直交する方向に拡がりをもつ３分岐エレメント構成の立体形アンテナ３０が構成される。
【００２７】
このように、２つの積み重ねブロック２２，２３を組み合わせてベース基板２１に積み重ねたことにより、ベース基板２１に設けられた給電パターンＰ２１の各エレメント接続端Ｐ２１ｂ，Ｐ２１ｂ，Ｐ２１ｂから、積み重ねブロック２２に設けられたエレメントパターンＰ５，Ｐ６，Ｐ７の各側面パターンＰｖにより積み重ねブロック２２の積み重ね方向に起立し、積み重ねブロック２２の上面で平面パターンＰｈにより稜に沿って延長し、さらに積み重ねブロック２３に設けられたエレメントパターンＰ８の側面パターンＰｖにより積み重ねブロック２３の積み重ね方向に起立し、積み重ねブロック２３の上面で平面パターンＰｈにより面方向に拡がる３分岐エレメント構造の立体形アンテナ３０が構成される。
【００２８】
上記した第３実施形態に係るアンテナ構造は、アンテナエレメントがベース基板２１の板面方向でなく、複数の積み重ねブロックがそれぞれ積み重ね方向にエレメントを延長してゆくエレメント構成であることから、プリント基板で構成されるアンテナモジュールを小型化できるとともに、所望する任意のエレメント構成によるアンテナモジュールを容易に実現できる。なお、上記した第３実施形態は、３分岐エレメント構造の立体形アンテナを例に示したが、これに限らず、２分岐エレメント構造の立体形アンテナ、４以上の複数分岐エレメント構造の立体形アンテナも容易に実現可能であり、さらに、積み重ねブロックの積み重ね段数、エレメントパターン形状等も任意に変更可能である。
【００２９】
本発明の第４実施形態に係るアンテナ構造を図４に示す。図４には第４実施形態に係るアンテナ構造を、構成要素となる部品単体と併せて示している。この第４実施形態に係るアンテナ構造は、上記した第３実施形態に係る積み重ねブロック２２を共通基板（共通の積み重ねブロック）として適用している。
【００３０】
この第４実施形態に係るアンテナ構造は、図４に示すように、回路が独立した３つの給電パターンＰ３１，Ｐ３２，Ｐ３３を有するベース基板３１と、このベース基板３１に積み重ねられて、該基板の板面に固定された積み重ねブロック２２と、上記給電パターンＰ３１，Ｐ３２，Ｐ３３のエレメント接続端Ｐ３１ｂ，Ｐ３２ｂ，Ｐ３３ｂに対応して上記積み重ねブロック２２に設けられ、一端が上記給電パターンＰ３１，Ｐ３２，Ｐ３３の対応するエレメント接続端Ｐ３１ｂ，Ｐ３２ｂ，Ｐ３３ｂに個別に導電接続され、他端が積み重ねブロック２２の積み重ね方向に延長する複数のエレメントパターンＰ５，Ｐ６，Ｐ７と、上記積み重ねブロック２２にさらに積み重ねて設けられた積み重ねブロック２３と、この積み重ねブロック２３に設けられ、一端が上記積み重ねブロック２２に設けられたエレメントパターンＰ６のエレメント延長端Ｐ２２ｂに導電接続され、他端が積み重ねブロック２３の積み重ね方向に延長するエレメントパターンＰ８とを具備して構成される。
【００３１】
上記積み重ねブロック２２，２３に設けられた各エレメントパターンＰ５，Ｐ６，Ｐ７，Ｐ８は、それぞれ、側面パターンＰｖと平面パターンＰｈとを有して構成される。この実施形態では、積み重ねブロック２２に設けられたエレメントパターンＰ５，Ｐ６，Ｐ７のうち、エレメントパターンＰ６のエレメント長を、積み重ねブロック２３により、さらに延長するもので、エレメントパターンＰ６のエレメント終端部（側面パターンＰｖから延長する平面パターンＰｈの終端部）をエレメント延長端Ｐ２２ｂとしている。
【００３２】
積み重ねブロック２２に設けられた側面パターンＰｖ，Ｐｖ，Ｐｖの下端をそれぞれ、ベース基板３１に設けられた給電パターンＰ３１，Ｐ３２，Ｐ３３のエレメント接続端Ｐ３１ｂ，Ｐ３２ｂ，Ｐ３３ｂに個別に導電接続し、積み重ねブロック２３に設けられた側面パターンＰｖの下端を、積み重ねブロック２２に設けられた側面パターンＰｖから延長する平面パターンＰｈの終端部をエレメント延長端Ｐ２２ｂとして、該エレメント延長端Ｐ２２ｂに導電接続することにより、ベース基板３１の板面と直交する方向に拡がりをもつ３つの独立した立体形アンテナを有する立体形複合アンテナ４０が構成される。
【００３３】
このように、２つの積み重ねブロック２２，２３を組み合わせてベース基板３１に積み重ねたことにより、ベース基板３１に設けられた回路が独立する３つの給電パターンＰ３１，Ｐ３２，Ｐ３３の各エレメント接続端Ｐ３１ｂ，Ｐ３２ｂ，Ｐ３３ｂから、積み重ねブロック２２に設けられたエレメントパターンＰ５，Ｐ６，Ｐ７の各側面パターンＰｖにより積み重ねブロック２２の積み重ね方向に起立し、積み重ねブロック２２の上面で平面パターンＰｈにより稜に沿って延長し、さらに積み重ねブロック２３に設けられたエレメントパターンＰ８の側面パターンＰｖにより積み重ねブロック２３の積み重ね方向に起立し、積み重ねブロック２３の上面で平面パターンＰｈにより面方向に拡がる３つの独立した立体形アンテナを有する立体形複合アンテナ４０が構成される。
【００３４】
上記した第４実施形態に係るアンテナ構造は、アンテナエレメントがベース基板３１の板面方向でなく、複数の積み重ねブロックがそれぞれ積み重ね方向にエレメントを延長してゆくエレメント構成であることから、プリント基板で構成されるアンテナ構造を小型化できるとともに、所望する任意エレメント構成の複数の立体形アンテナを容易に実現できる。
【００３５】
本発明の第５実施形態に係るアンテナ構造を図５に示す。図５には第５実施形態に係るアンテナ構造を、構成要素となる部品単体と併せて示している。
【００３６】
この第５実施形態に係るアンテナ構造は、図５に示すように、給電パターンＰ４１を有するベース基板４１と、このベース基板４１に積み重ねられて、該基板の板面に固定された積み重ねブロック２４と、この積み重ねブロック２４に設けられ、一端が上記給電パターンＰ４１に導電接続され、他端が積み重ねブロック２４の積み重ね方向に延長するエレメントパターンＰ９とを具備して構成される。
【００３７】
ベース基板４１に設けられた給電パターンＰ４１は、図示しない無線機器のアンテナ接続部に回路接続されるアンテナリード部Ｐ４１ａとエレメント接続端Ｐ４１ｂとを有して構成される。このエレメント接続端Ｐ４１ｂはスルーホールの接合用パッド部である。
【００３８】
積み重ねブロック２４は、複数段の積み重ねが可能な六面体のプリント基板により構成され、ベース基板４１に例えば接着剤により固定される。エレメントパターンＰ９は、上記各実施形態の側面パターンＰｖに相当する、スルーホール（Ｔｈ）により構成された貫通パターンＰｖと、この貫通パターンＰｖから延長して積み重ねブロック２４の上面に設けられたＴ状の平面パターンＰｈとを有して構成される。貫通パターンＰｖの下端はベース基板４１に設けられた給電パターンＰ４１のエレメント接続端（スルーホールの接合用パッド部）Ｐ４１ｂに導電接続されている。
【００３９】
このように、積み重ねブロック２４をベース基板４１に積み重ねたアンテナ構造により、給電パターンＰ４１のエレメント接続端Ｐ４１ｂから、エレメントパターンＰ９の貫通パターンＰｖにより積み重ねブロック２４の積み重ね方向に起立し、平面パターンＰｈにより積み重ねブロック２４の上面で面方向にＴ状に拡がる立体形アンテナ５０が構成される。なお、ベース基板４１に積まれる積み重ねブロック２４は、図示したエレメントパターン構成のものに限らず、アンテナ実装スペースや要求される指向特性等を考慮して、各種エレメント構成の積み重ねブロックを適宜適用可能である。
【００４０】
上記した実施形態に係るプリント基板の積み重ねによるアンテナ構造は、アンテナエレメントがベース基板４１の板面方向でなく、積み重ねブロック２４を挟んで積み重ねブロック２４の積み重ね方向に延長されるエレメント構成であることから、プリント基板で構成されるアンテナモジュールを小型化できるとともに、所望する任意のエレメント構成によるアンテナモジュールを容易に実現できる。
【００４１】
本発明の各実施形態において、共通に使用可能な積み重ねブロックの変形例を図６乃至図９に示している。  
図６に示す積み重ねブロック２５は、側面パターンＰｖが積み重ねブロック２５の稜に沿わない構成を例示している。この図６に示す積み重ねブロック２５は、一側面において同面上で対角線方向に２分岐したＹ状の側面パターンＰｖと、この２分岐した各側面パターンＰｖに延長して稜に沿い設けられた平面パターンＰｈとにより形成されたエレメントパターンＰ１０を有している。この図６に示す積み重ねブロック２５を用いることにより、ベース基板の板面と直交する方向に拡がりをもつ２分岐された平行エレメントを実現することができる。
【００４２】
図７に示す積み重ねブロック２６は、側面パターンＰｖと平面パターンＰｈをそれぞれ積み重ねブロック２６の稜上に設けたエレメントパターンＰ１１を有している。この図７に示す積み重ねブロック２６を用いることにより、ベース基板の板面と直交する方向に拡がりをもつＹ分岐されたアンテナエレメントを実現することができる。
【００４３】
図８には、六面体でない積み重ねブロックの一構成例を示している。この図８に示す積み重ねブロック２７は、円周面を有する半円柱状の基材により構成され、側面パターンＰｖに延長して、円周面に沿う平面パターンＰｈを設けたエレメントパターンＰ１２を有している。
【００４４】
この図８に示す積み重ねブロック２７を用いることにより、ベース基板の板面と直交する方向に拡がりをもつ湾曲状のアンテナエレメントを実現することができる。
【００４５】
図９には、六面体でない積み重ねブロックの他の一構成例を示している。この図９に示す積み重ねブロック２８は、円柱状の基材により構成され、スルーホール（Ｔｈ）により構成された貫通パターンＰｖと、この貫通パターンＰｖから延長して積み重ねブロック２４の上面に設けられた渦巻き状の平面パターンＰｈとを設けたエレメントパターンＰ１１を有している。
【００４６】
この図９に示す積み重ねブロック２８を用いることにより、ベース基板の板面と直交する方向に拡がりをもつ渦巻き状のアンテナエレメントを実現することができる。
【００４７】
上記実施形態に係る立体形アンテナを用いた、本発明の第６実施形態に係る電子機器の構成を図１０に示す。
【００４８】
この図１０に示す第６実施形態に係る電子機器は、上記図１、図２に示した第１、第２実施形態の立体形アンテナを有して構成されている。
【００４９】
本発明の第６実施形態に係る電子機器のの外観構成を図１に示す。同図に示される電子機器は、例えばタブレットＰＣと呼ばれるパーソナルコンピュータである。タブレットＰＣ１００は、液晶パネル（表示部）２３０にタブレットを有するディスプレイユニット２００がヒンジ１２０を介して本体３００に回動可能に取り付けられた構造を有する。
【００５０】
ディスプレイユニット２００には、隣接する２辺の内側部に無線ＬＡＮ用アンテナ２１０Ａ，２１０Ｂが設けられている。これらのアンテナ２１０Ａ，２１０Ｂは、互いに９０°異なる角度で設置され、異なる偏波を受信することができる。ディスプレイユニット２００を開いた状態において、アンテナ２１０Ａは、例えばディスプレイユニット２００の面上部に設けられ、一方、アンテナ２１０Ｂは、例えばディスプレイユニット２００の面側部に設けられる。例えばアンテナ２１０Ａ，２１０Ｂのうち、いずれか一方は受信および送信が可能な（即ち、電波を輻射する）送受信用アンテナとして用いられ、もう一方は受信のみを行う受信用アンテナとして用いられる。
【００５１】
本体３００には、アンテナ２１０Ａ，２１０Ｂに接続された無線モジュールとして、無線ＬＡＮコントローラ３１０Ａ，３１０Ｂが実装されている。無線ＬＡＮコントローラ３１０Ａのアンテナ接続端には、アンテナリード２２０Ａを介してアンテナ２１０Ａが接続され、無線ＬＡＮコントローラ３１０Ｂのアンテナ接続端には、アンテナリード２２０Ｂを介してアンテナ２１０Ｂが接続されている。アンテナリード２２０Ａ，２２０Ｂは、例えばフレキシブルプリント配線板を用いたマイクロストリップライン、若しくは同軸ケーブル等により構成される。
【００５２】
アンテナ２１０Ａは、給電パターンＰ１を有するベース基板１１と、このベース基板１１に積み重ねられて、該基板の板面に固定された積み重ねブロック１２と、この積み重ねブロック１２に設けられ、一端が上記給電パターンＰ１に導電接続され、他端が積み重ねブロック１２の積み重ね方向に延長するエレメントパターンＰ２とを具備して構成される。ベース基板１１と、積み重ねブロック１２は、それぞれプリント基板により構成され、給電パターンＰ１とエレメントパターンＰ２はそれぞれ導電箔により形成されている。
【００５３】
ベース基板１１は、給電パターンＰ１を一方面に有し、この給電パターンＰ１とインピーダンスの整合をとるためのグランドパターンＧＰを他方面に有して構成される。給電パターンＰ１は、アンテナリード２２０Ａを介して無線ＬＡＮコントローラ３１０Ａのアンテナ接続端に回路接続されるアンテナリード部Ｐ１ａとエレメント接続端Ｐ１ｂとを有して構成される。
【００５４】
積み重ねブロック１２は、複数段の積み重ねが可能な六面体のプリント基板により構成され、ベース基板１１に例えば接着剤により固定される。エレメントパターンＰ２は、ベース基板１１の板面に対して直交する方向に起立して、積み重ねブロック１２の一側面に稜に沿い設けられたエレメントの一部パターンＰｖと、このパターンＰｖから延長して積み重ねブロック１２の上面に設けられたエレメントの一部パターンＰｈとを有して構成される。上記したエレメントの一部パターンＰｖ，Ｐｈのうち、パターンＰｖを側面パターンと称し、パターンＰｈを平面パターンと称す。図１に示す実施形態では、側面パターンＰｖと平面パターンＰｈが互いに直交する複数の稜に沿って形成されている。側面パターンＰｖの下端はベース基板１１に設けられた給電パターンＰ１のエレメント接続端Ｐ１ｂに導電接続されている。
【００５５】
このように、積み重ねブロック１２をベース基板１１に積み重ねたアンテナ構造により、給電パターンＰ１のエレメント接続端Ｐ１ｂから、エレメントパターンＰ２の側面パターンＰｖにより積み重ねブロック１２の積み重ね方向に起立し、平面パターンＰｈにより積み重ねブロック１２の上面で面方向に拡がる立体形アンテナ２１０Ａが構成される。
【００５６】
アンテナ２１０Ｂは、給電パターンＰ１を有するベース基板１１と、このベース基板１１に積み重ねられて、該基板の板面に固定された積み重ねブロック１３と、この積み重ねブロック１３に設けられ、一端が上記給電パターンＰ１に導電接続され、他端が積み重ねブロック１３の積み重ね方向に延長するエレメントパターンＰ３と、上記積み重ねブロック１３に積み重ねられて該ブロックに固定された積み重ねブロック１４と、上記積み重ねブロック１４に設けられ、一端が上記積み重ねブロック１３に設けられたエレメントパターンＰ３の延長端に導電接続され、他端が積み重ねブロック１３の積み重ね方向に延長されたエレメントパターンＰ４とを具備して構成される。
【００５７】
積み重ねブロック１３，１４は、積み重ねブロック１２と同様に、それぞれ複数段の積み重ねが可能な六面体のプリント基板により構成されている。積み重ねブロック１３に設けられたエレメントパターンＰ３、および積み重ねブロック１４に設けられたエレメントパターンＰ４は、それぞれ、積み重ねブロック１２と同様に、側面パターンＰｖと平面パターンＰｈとを有して構成されている。積み重ねブロック１３，１４に設けられたエレメントパターンＰ３，Ｐ４は、それぞれ側面パターンＰｖと平面パターンＰｈが互いに直交する複数の稜に沿って形成されている。
【００５８】
このように、２つの積み重ねブロック１３，１４を組み合わせてベース基板１１に積み重ねたことにより、ベース基板１１に設けられた給電パターンＰ１のエレメント接続端Ｐ１ｂから、積み重ねブロック１３に設けられたエレメントパターンＰ３の側面パターンＰｖにより積み重ねブロック１３の積み重ね方向に起立し、積み重ねブロック１３の上面で平面パターンＰｈにより稜に沿って延長し、積み重ねブロック１４に設けられたエレメントパターンＰ４の側面パターンＰｖにより積み重ねブロック１４の積み重ね方向に起立し、積み重ねブロック１４の上面で平面パターンＰｈにより面方向に拡がるエレメント構造の立体形アンテナ２１０Ｂが構成される。
【００５９】
上記した立体形アンテナ２１０Ａ，２１０Ｂは、それぞれアンテナエレメントがベース基板の板面方向でなく、複数の積み重ねブロックがそれぞれ積み重ね方向にエレメントを延長してゆくエレメント構成であることから、電子機器の筐体内に収容されるアンテナモジュールを小型化できるとともに、所望する任意のエレメント構成によるアンテナモジュールを容易に実現できる。
【図面の簡単な説明】
【００６０】
【図１】本発明の第１実施形態に係るアンテナ構造を示す斜視図。
【図２】本発明の第２実施形態に係るアンテナ構造を示す斜視図。
【図３】本発明の第３実施形態に係るアンテナ構造を示す斜視図。
【図４】本発明の第４実施形態に係るアンテナ構造を示す斜視図。
【図５】本発明の第５実施形態に係るアンテナ構造を示す斜視図。
【図６】本発明の各実施形態に適用可能な積み重ねブロックの構成を示す斜視図。
【図７】本発明の各実施形態に適用可能な積み重ねブロックの構成を示す斜視図。
【図８】本発明の各実施形態に適用可能な積み重ねブロックの構成を示す斜視図。
【図９】本発明の各実施形態に適用可能な積み重ねブロックの構成を示す斜視図。
【図１０】本発明の第６実施形態に係る電子機器の構成を示す斜視図。
【符号の説明】
【００６１】
１１，２１，３１，４１…ベース基板、１２，１３．１４，２２，２３，２４，２５，２６，２７，２８…積み重ねブロック、２０，３０，４０，５０…立体形アンテナ、２１ａ…アンテナリード部、１００…電子機器（タブレットＰＣ）、１２０…ヒンジ、２００…ディスプレイユニット、２１０Ａ．２１０Ｂ…立体形アンテナ、２２０Ａ．２２０Ｂ…アンテナリード、３００…本体、３１０Ａ，３１０Ｂ…ＬＡＮコントローラ、Ｐ１，Ｐ２１，Ｐ３１．Ｐ３２，Ｐ３３，Ｐ４１…給電パターン、Ｐ２，Ｐ３，Ｐ４，Ｐ５．Ｐ６，Ｐ７，Ｐ８，Ｐ９，Ｐ１０，Ｐ１１，Ｐ１２，Ｐ１３…エレメントパターン、ＧＰ…グランドパターン、Ｐ１ａ，Ｐ４１ａ…アンテナリード部、Ｐ１ｂ，Ｐ２１ｂ．Ｐ３１ｂ．Ｐ３２ｂ，Ｐ４１ｂ…エレメント接続端、Ｐｖ…側面パターン、Ｐｈ…平面パターン、Ｐ２２ｂ…エレメント延長端。
【図１】
2009135773.tif 000003
【図２】
2009135773.tif 000004
【図３】
2009135773.tif 000005
【図４】
2009135773.tif 000006
【図５】
2009135773.tif 000007
【図６】
2009135773.tif 000008
【図７】
2009135773.tif 000009
【図８】
2009135773.tif 000010
【図９】
2009135773.tif 000011
【図１０】
2009135773.tif 000012